(57)【特許請求の範囲】
【請求項１】
表示部、入力部、及び制御部を含む携帯端末機における複数のホームスクリーンページを編集する方法であって、
前記表示部を通じて、前記複数のホームスクリーンページの中の１つをホームスクリーンとして第１のサイズで表示するステップと、
前記制御部が、編集のための所定のユーザ入力信号の検出に応じて、縮小サイズで表示される１つのホームスクリーンページ及び少なくとも１つの他のホームスクリーンページを含む前記複数のホームスクリーンページで構成された編集画面を前記表示部を通じて表示するステップと、
前記制御部が、表示された前記複数のホームスクリーンページの中の１つを選択するための第１のユーザ入力信号を検出するステップと、
前記制御部が、第２のユーザ入力信号に応じて、選択された前記ホームスクリーンページを移動して前記表示された前記複数のホームスクリーンページの順序を変更するステップと、を有することを特徴とするホームスクリーンページ編集方法。
【請求項２】
前記所定のユーザ入力信号の検出は、
前記入力部に含まれる特定キー入力信号を受信するステップ、
前記表示部上に前記入力部が形成されたタッチスクリーンで特定タッチイベントを受信するステップ、
センサ部で特定動作信号を受信するステップ、
の中の少なくとも１つを含むことを特徴とする請求項１に記載のホームスクリーンページ編集方法。
【請求項３】
前記特定動作信号を受信するステップは、
前記携帯端末機が縦モードから横モードに状態変更するステップと、
前記状態変更に従う第１の傾き変化を感知するステップと、
前記第１の傾き変化に従う動作信号を受信するステップと、
を含むことを特徴とする請求項２に記載のホームスクリーンページ編集方法。
【請求項４】
前記携帯端末機が横モードから縦モードに状態変更するステップと、
前記状態変更に従う第２の傾き変化を感知するステップと、
前記第２の傾き変化によって現在表示されている前記編集画面から前記ホームスクリーンの画面へ復帰するステップと、
を更に含むことを特徴とする請求項３に記載のホームスクリーンページ編集方法。
【請求項５】
ページ画面復帰のための入力信号の受信によって前記第１のサイズで１つのホームスクリーンページを表示する前記ホームスクリーンの画面に復帰する場合に、現在表示部に表示されている前記ホームスクリーンページが全体ページで占める順序を表すイメージを前記ホームスクリーンの画面の一側に表示するステップ、
前記ホームスクリーンページの題目を前記イメージに隣接する領域に表示するステップ、
の中の少なくとも１つのステップを更に含むことを特徴とする請求項１に記載のホームスクリーンページ編集方法。
【請求項６】
前記編集画面を表示するステップは、
以前に表示されていた前記１つのホームスクリーンページの画面を前記編集画面の中央に配置し、前記少なくとも１つの他のホームスクリーンページを該中央に配置されたホームスクリーンページに隣接して表示されるように配置するステップ、
前記ページ画面復帰のための入力信号の受信によって前記第１のサイズで１つのホームスクリーンページを表示する前記ホームスクリーンの画面に復帰する場合に、前記編集画面の中央に配置されているホームスクリーンページを前記表示部の全体画面に表示するステップ、
の中のいずれか１つのステップを含むことを特徴とする請求項５に記載のホームスクリーンページ編集方法。
【請求項７】
現在前記表示部に表示されている編集のための前記複数のホームスクリーンページが全体ページで占める順序を表すイメージを該表示部に表示するステップを更に含むことを特徴とする請求項１に記載のホームスクリーンページ編集方法。
【請求項８】
ページの追加又は削除のための入力信号を受信した場合に、該入力信号によって前記編集画面で特定ページを追加するか又は前記表示された複数のホームスクリーンページの中の特定ページを削除するステップ、
現在前記表示部に表示されている編集のための前記複数のホームスクリーンページが全体ページで占める順序を表すイメージを該表示部に表示し、ページの追加又は削除のための入力信号を受信した場合に、該入力信号によって前記編集画面で前記ページを追加又は削除した後、前記ページの追加又は削除によって前記全体ページの数の増加又は減少を前記イメージに適用して変化させるステップ、
各ホームスクリーンページの題目領域を表示し、該題目領域の編集のための入力信号を受信した場合に、該題目領域の編集のためのキーマップを表示した後、該キーマップから選択されるキーによって題目を設定するステップ、
の中のいずれか１つのステップを更に含むことを特徴とする請求項１に記載のホームスクリーンページ編集方法。
【請求項９】
前記ホームスクリーンページの背景画面変更のための入力信号を受信するステップと、
前記入力信号の受信によって少なくとも１つの背景画面選択のためのウィンドウを表示するステップと、
前記ウィンドウから選択された背景画面を前記編集画面に表示された複数のホームスクリーンページの中の少なくとも１つに適用するステップと、
を更に含むことを特徴とする請求項１に記載のホームスクリーンページ編集方法。
【請求項１０】
前記複数のホームスクリーンページを表示するステップと、
前記複数のホームスクリーンページの中のいずれか１つのホームスクリーンページを指定する入力信号を受信するステップと、
前記入力信号によって特定ホームスクリーンページを指定するステップと、
指定された前記特定ホームスクリーンページを追加入力信号の受信によって他のホームスクリーンページが互いに隣接する境界領域へ移動させるステップと、
他の追加入力信号の受信によって前記特定ホームスクリーンページを前記他のホームスクリーンページの間に位置するように配置するステップと、
を更に含むことを特徴とする請求項１に記載のホームスクリーンページ編集方法。
【請求項１１】
前記編集画面で各々少なくとも１つのアイコンを含む少なくとも２つのホームスクリーンページを表示し、前記アイコンの削除又は移動のための入力信号を受信した場合に、該アイコンの削除又は移動のための入力信号によって特定アイコンを削除するか又は特定ホームスクリーンページから他のホームスクリーンページにアイコンを移動するステップを更に含むことを特徴とする請求項１に記載のホームスクリーンページ編集方法。
【請求項１２】
複数のホームスクリーンページを格納する格納部と、
ホームスクリーンの少なくとも一部として前記ホームスクリーンページの中の１つを表示する表示部と、
編集のための所定のユーザ入力信号の検出に応じて、縮小サイズで表示される１つのホームスクリーンページ及び少なくとも１つの他のホームスクリーンページを含む前記複数のホームスクリーンページで構成された編集画面を前記表示部を通じて表示し、該表示された前記複数のホームスクリーンページの中の１つを選択するための第１のユーザ入力信号を検出し、第２のユーザ入力信号に応じて、選択された前記ホームスクリーンページを移動して前記表示された前記複数のホームスクリーンページの順序を変更するように制御する制御部と、を備えることを特徴とする携帯端末機。
【請求項１３】
ユーザ入力信号を生成するための入力信号生成モジュールを更に含み、
前記入力信号生成モジュールは、
特定キー入力信号を生成する入力部、
前記表示部上に前記入力部が形成されて特定タッチイベントを生成するタッチスクリーン、
携帯端末機の動作状態によって特定動作信号を生成するセンサ部、
の中の少なくとも１つを含むことを特徴とする請求項１２に記載の携帯端末機。
【請求項１４】
前記制御部は、
前記携帯端末機が縦モードから横モードに動作状態が変更された場合、前記編集画面を表示するように制御し、
前記携帯端末機が横モードから縦モードに動作状態が変更された場合、表示されている前記編集画面のうちの特定ホームスクリーンページを前記表示部全体に表示するホームスクリーンの画面に復帰するように制御することを特徴とする請求項１２に記載の携帯端末機。
【請求項１５】
前記制御部は、
前記ホームスクリーンページが全体ページの中に占める順序又は前記編集画面に表示される少なくとも１つのホームスクリーンページが全体ページの中に占める順序を示し、前記ホームスクリーンページの追加又は削除に従うページの増減を表すイメージの表示及び変更、
前記ホームスクリーンページ又は前記編集画面に表示される少なくとも１つのホームスクリーンページの題目領域の表示、
前記ホームスクリーンページの背景画面変更のための入力信号を受信した場合に、当該ホームスクリーンページに適用される背景画面選択のためのウィンドウの表示、
前記編集画面に表示された複数のホームスクリーンページの各々に属するアイコンを特定入力信号によって特定ページから他のホームスクリーンページに移動させるか又は削除に従うホームスクリーンページ構成の変更、
の中の少なくとも１つを制御することを特徴とする請求項１２に記載の携帯端末機。
【発明の詳細な説明】
【技術分野】
【０００１】
本発明はホームスクリーンを備える携帯端末機に係り、特に携帯端末機のホームスクリーンに選択的に用いられる多様なメニューページ編集方法と、これに関連する携帯端末機に関する。
【背景技術】
【０００２】
最近の携帯端末機は、顧客の増大する要請に応じて多様なユーザフレンドリーな機能を支援しており、その利用の便利性と携帯の容易性から幅広く用いられている。
【０００３】
このような従来の携帯端末機は、端末機のブーティングが完了した後、端末機の各構成要素を初期化する際に、初期設定されたホームスクリーン画面を表示部に出力する。この際、従来のホームスクリーン画面には、製造者が設定した形態のメニューなどを含む特定のページがデフォルト出力された。このような従来のホームスクリーン構成は、ユーザのニーズを適切に反映するとは限らず、ユーザはホームスクリーンを単に端末機ブーティングが完了した状態で出力される初期画面又は、特定の所望の機能の遂行のためのメニュー選択画面と認識しているだけであるので、ホームスクリーンの活用度が低かった。
【発明の概要】
【発明が解決しようとする課題】
【０００４】
従って、本発明の目的は、少なくとも１つのメニューアイコン又はウィジェットアイコンを含む少なくとも１つのホームスクリーンに出力されるページをユーザが速く、かつ便利に編集する方法及びこれを実行できる端末機を提供することにある。
【課題を解決するための手段】
【０００５】
上記目的を達成するためになされた本発明の一態様による表示部、入力部、及び制御部を含む携帯端末機における複数のホームスクリーンページを編集する方法は、前記表示部を通じて、前記複数のホームスクリーンページの中の１つをホームスクリーンとして第１のサイズで表示するテップと、前記制御部が、編集のための所定のユーザ入力信号の検出に応じて、縮小サイズで表示される１つのホームスクリーンページ及び少なくとも１つの他のホームスクリーンページを含む前記複数のホームスクリーンページで構成された編集画面を前記表示部を通じて表示するステップと、前記制御部が、表示された前記複数のホームスクリーンページの中の１つを選択するための第１のユーザ入力信号を検出するステップと、前記制御部が、第２のユーザ入力信号に応じて、選択された前記ホームスクリーンページを移動して前記表示された前記複数のホームスクリーンページの順序を変更するステップと、を有することを特徴とする。
【０００６】
上記目的を達成するためになされた本発明の一態様による携帯端末機は、複数のホームスクリーンページを格納する格納部と、ホームスクリーンの少なくとも一部として前記ホームスクリーンページの中の１つを表示する表示部と、編集のための所定のユーザ入力信号の検出に応じて、縮小サイズで表示される１つのホームスクリーンページ及び少なくとも１つの他のホームスクリーンページを含む前記複数のホームスクリーンページで構成された編集画面を前記表示部を通じて表示し、該表示された前記複数のホームスクリーンページの中の１つを選択するための第１のユーザ入力信号を検出し、第２のユーザ入力信号に応じて、選択された前記ホームスクリーンページを移動して前記表示された前記複数のホームスクリーンページの順序を変更するように制御する制御部と、を備えることを特徴とする。
【発明の効果】
【０００７】
本発明の実施形態に従う携帯端末機のホームスクリーンのためのページ編集方法及びホームスクリーンを備える携帯端末機によれば、例えば、ページ編集スクリーン上でユーザの選択とドラッグ操作によりページの順序位置を変更できるので、複数個のページ及びページ上のアイコンの削除、追加、及び移動により、ホームスクリーンのページを簡単かつ容易に編集できる。
【図面の簡単な説明】
【０００８】
【図１】本発明の実施形態に従う携帯端末機のページ画面及びページ編集画面出力を説明するための画面例示図である。
【図２】本発明のページ追加と削除を説明するための画面例示図である。
【図３】本発明のページ追加及び削除のための入力信号生成を説明するための画面例示図である。
【図４】本発明のページ追加及び削除のための入力信号生成を説明するための画面例示図である。
【図５】本発明のページ題目設定を説明するための画面例示図である。
【図６】本発明のページ内又はページ間の所属されたアイコンの変更を説明するための画面例示図である。
【図７】本発明のページの背景画面変更を説明するための画面例示図である。
【図８】本発明のページの順序変更を説明するための画面例示図である。
【図９】本発明の実施形態に従うホームスクリーンを支援する携帯端末機の各構成を示すブロック図である。
【発明を実施するための形態】
【０００９】
以下、本発明に従う好ましい実施形態を添付した図面を参照しつつ詳細に説明する。下記の説明は、本発明の実施形態に従う動作の理解に必要な部分に限り、その以外の部分の説明は本発明の要旨を曖昧にしないように省略してあることに留意するべきである。
【００１０】
以下に説明される本明細書及び請求範囲に使われた用語や単語は、通常的、又は辞典的な意味に限定して解釈されてはならず、発明者は自分の発明を最善の方法で説明するために用語の概念を適切に定義できるという原則に即して、本発明の技術的事象に符合する意味及び概念に解釈されなければならない。また、本明細書に記載された実施形態と図面に図示された構成は本発明の最も好ましい一実施形態に過ぎないものであり、本発明の技術的事象を全て代弁するものではないので、本出願時点においてこれらを置換できる多様な均等物と変形例がありえることを理解すべきである。
【００１１】
図１は、本発明の実施形態に従うホームスクリーン編集を説明するための画面例示図である。
【００１２】
図１を参照すると、携帯端末機ユーザは複数個のホームスクリーンを図示したように構成できる。即ち、携帯端末機ユーザは所望のウィジェットアイコンを含む複数個のページを構成できる。このために、携帯端末機はウィジェットアイコンをページに設定できるウィジェットアイコンツリーを提供し、ページ追加及び削除のためのメニューを提供する。図面を参照すると、携帯端末機ユーザは複数個のページ、例えば、第１ページ（ＷＰ１）、第２ページ（ＷＰ２）、及び第３ページ（ＷＰ３）を生成し、第１ページ（ＷＰ１）には第１ウィジェットアイコン（Ｗ１）及び第２ウィジェットアイコン（Ｗ２）を配置し、第２ページ（ＷＰ２）に第３ウィジェットアイコン（Ｗ３）、第４ウィジェットアイコン（Ｗ４）、及び第５ウィジェットアイコン（Ｗ５）を配置し、第３ページ（ＷＰ３）に第６ウィジェットアイコン（Ｗ６）、第７ウィジェットアイコン（Ｗ７）、及び第８ウィジェットアイコン（Ｗ８）を配置できる。ここで、携帯端末機ユーザは追加的なページを更に生成し、生成されたページに他のウィジェットアイコンを更に配置できる（後述）。一方、携帯端末機ユーザは、第１ページ（ＷＰ１）、第２ページ（ＷＰ２）、及び第３ページ（ＷＰ３）の検索のために、携帯端末機が提供する入力部を利用する。このために、携帯端末機は方向キー入力のためのキー入力部、又は方向キー機能に該当するタッチイベント生成のためのタッチスクリーンなどを提供する。
【００１３】
携帯端末機は、ユーザのページ転換のための入力信号、例えば、上述の方向キー入力信号を受信すれば、それによってページ転換を遂行する。即ち、現在第１ページ（ＷＰ１）が表示部１４１に出力されている状態で、左右方向キー入力信号が受信されれば、携帯端末機は方向キーによって第２ページ（ＷＰ２）又は第３ページ（ＷＰ３）を表示部１４１に出力するように制御する。
【００１４】
一方、携帯端末機はホームスクリーンに出力されるページ編集のための入力信号、例えば、既設定されたタッチイベント又は既設定されたキー入力信号が生成されれば、ページ編集画面２００を提供する。ここで、携帯端末機はモーションセンサ、例えば、加速度センサ、ジャイロセンサを設けて、携帯端末機の動作状態によって生成される動作信号に基づいてページ編集画面２００を提供できる。即ち、特定ページが出力されている縦モードで、ユーザが携帯端末機を一定方向に回転させることによって、回転に従う動作信号が発生すれば、携帯端末機はこれをページ編集指示信号と判断し、図示したように、ページ編集画面２００を出力する。この際、携帯端末機は複数個のページを１つの画面に出力できる。即ち、携帯端末機は横モードで支援される携帯端末機の表示部１４１に第１ページ（ＷＰ１）、第２ページ（ＷＰ２）、及び第３ページ（ＷＰ３）を出力する。この過程で、携帯端末機は複数個のページを１つの画面に出力するためにページのサイズをリサイジングし、リサイジングされたページを画面に出力する。そして、携帯端末機はページ編集指示信号発生の直前に表示部１４１に出力されているページを基準にページ編集画面２００を構成する。例えば、直前に第１ページ（ＷＰ１）が表示部１４１に出力されていたとすれば、第１ページ（ＷＰ１）に隣接した第２ページ（ＷＰ２）及び第３ページ（ＷＰ３）を含むページ編集画面２００を出力するように制御する。
ここでは、１つの画面に３個のページが出力される場合について説明しているが、本発明はこれに限定されるものではない。即ち、携帯端末機は１つ、２つ、４個、又は５個など、３個より少ないか又は多い数のページを１つの画面に出力でき、そのために、ページのサイズを１つの画面に出力できるように適切に調節する。そして、携帯端末機は必要によって画面上に複数の列にページを配置する。
【００１５】
以上、説明したように、本発明の実施形態に従う携帯端末機は、携帯端末機の動作状態変化を感知し、それによってホームスクリーンに出力されるページのうちの少なくとも１つのページを含むページ編集画面２００を出力する。その他、キー入力信号や既設定されたタッチイベント信号に従っても上述のページ編集画面２００を出力できる。
【００１６】
図２は、本発明の実施形態に従うホームスクリーン編集機能のうち、ページ追加及び題目設定を説明するための画面例示図である。
【００１７】
図２を参照すると、本発明の実施形態に従う携帯端末機は、既設定された入力信号、例えば、既設定された動作信号、既設定されたキー入力信号、既設定されたタッチイベントのうちの少なくとも１つが発生すれば、ページ編集画面２１０のように、ページ編集のための複数個のページを１つの画面に出力する。この際、ページ編集画面２１０は、ページ削除ボタン２１１とページ追加ボタン２１３を画面の一側に含む。より詳しくは、ページ編集画面２１０は、例えば第１ページ（ＷＰ１）、第２ページ（ＷＰ２）、及び第３ページ（ＷＰ３）が１つの画面に出力されれば、各ページの上段中央部分には各ページを削除できるページ削除ボタン２１１が設けられる。携帯端末機ユーザは、現在表示部に出力されている複数個のページのうち、削除しようとするページがある場合、各ページに設けられたページ削除ボタン２１１を活性化して削除命令を生成する。この際、携帯端末機は、ページ削除ボタン２１１が活性化されれば、該当ページ削除ボタン２１１が設けられたページを削除するように制御し、この過程でページ削除確認のためのポップアップウィンドウを出力できる。
【００１８】
そして、ページ追加ボタン２１３はページの境界領域に設けられる。即ち、ページ編集画面２１０に示すように、ページ追加ボタン２１３は第３ページ（ＷＰ３）と第１ページ（ＷＰ１）とが互いに隣接した境界領域のうち、下端領域に設けられ、第１ページ（ＷＰ１）と第２ページ（ＷＰ２）とが互いに隣接した境界領域のうち、下端領域に設けられる。携帯端末機ユーザは、ページ追加ボタン２１３をクリックするか、又は図示したように、ページが互いに隣接した境界領域で特定タッチイベントを生成、例えば境界領域を擦るタッチイベントを生成して、ページ追加命令を生成する。
【００１９】
すると、携帯端末機は、ページ編集画面２２０のように、ページ追加ボタン２１３が押されるか、又は特定タッチイベントが発生した領域を基準に追加ページを生成する。例えば、携帯端末機ユーザが、第１ページ（ＷＰ１）と第３ページ（ＷＰ３）との間のページ追加ボタン２１３を活性化するか、又はそれに対応する入力信号を生成した場合、携帯端末機は、第３ページ（ＷＰ３）と第１ページ（ＷＰ１）との間に新たなページである第１１ページ（ＷＰ１１）を生成するように制御する。ここで、ページ索引は製造者の意図、又はユーザの設定などによって変更できる。ページ編集画面２２０を見ると、携帯端末機は新しく生成された第１１ページ（ＷＰ１１）を画面の中央に配置し、第１１ページ（ＷＰ１１）を中心にして、右側には第１ページ（ＷＰ１）を、左側には第３ページ（ＷＰ３）を配置する。第１１ページ（ＷＰ１１）は新しく生成されたページであって、別途のウィジェットアイコンなどが配置されていない状態にあり、題目領域もデフォルトに設定された例えば“Ｎｅｗ  Ｐａｇｅ”のようなテキストを出力するか、又は別途の情報を出力せず、空いているボックスを出力する。一方、ページ編集画面２２０で、第１１ページ（ＷＰ１１）の上段に配置される位置バー２２１は、全体ページの個数と、現在画面に出力されているページの位置を表す。即ち、図示した位置バー２２１は全部で１０個のコマを有し、そのうち、最初のコマを基準に、３、４、５番目のコマが他のコマと区別される色で出力される。これは、全体ページが１０個のページで構成されており、現在第３ページ（ＷＰ３）、第１１ページ（ＷＰ１１）、及び第１ページ（ＷＰ１）が全体１０個のページのうち、３、４、５番目に位置することを知らせていると解釈できる。位置バー２２１はページ編集画面２１０でも出力でき、新たなページが追加されればコマ数は増加し、ページが削除されればコマ数は削除されたページ数に対応して減少する。
【００２０】
一方、ページ編集画面２２０で、携帯端末機ユーザが特定ページを画面全体に出力することを希望する場合、ユーザはそれに対応するキー入力信号、タッチイベント、及び動作信号のうちの少なくとも１つを生成する。例えば、携帯端末機ユーザが横モードでページを出力しているページ編集画面で２２０、端末機を縦に傾ける動作を遂行すれば、携帯端末機はこの動作によって生成された動作信号を１つのページ全体表示機能のための入力信号と判断する。
【００２１】
すると、携帯端末機はページ編集画面２３０に示すように、１つのページを画面全体に出力するように制御する。この際、携帯端末機はページ編集画面２２０で例えば、画面の中央に配置されたページを画面全体に出力するページと決定する。
【００２２】
以後、携帯端末機はユーザがページ編集画面２３０でウィジェット登録のための既設定された入力信号、例えば、表示部がタッチスクリーンで具現される場合、タッチダウンイベントを既設定された時間以上の間生成する“Ｌｏｎｇ  Ｐｒｅｓｓ”タッチイベントが生成されるか否かを確認する。そして、携帯端末機はタッチイベントが生成されれば、ページ編集画面２４０のように、任意のウィジェットが登録できる画面を出力する。
【００２３】
ページ編集画面２４０は第１１ページ（ＷＰ１１）に特定ウィジェットを登録するための画面であって、このために携帯端末機はウィジェット登録のための少なくとも１つのウィジェットアイコンが含まれたアイコンツリー領域２４１を画面の一側に出力するように制御することができる。携帯端末機ユーザは、アイコンツリー領域２４１に含まれたウィジェットアイコンのうち、自分が必要であると判断したウィジェットアイコンを選択しドラッグ（ｄｒａｇ）して第１１ページ（ＷＰ１１）領域に移動させる。このように移動されたウィジェットアイコンは、タッチアンドドラッグ又はムーブにより第１１ページ（ＷＰ１１）内の任意の領域に移動して配置変更できる。また、携帯端末機は、第１１ページ（ＷＰ１１）に出力中のウィジェットアイコンに対して誤ったタッチイベント発生に従うアイコンの移動を防止するために、アイコンツリー領域２４１が活性化した状態のみでアイコンの配置変更のための移動活性化を許容する。
【００２４】
以後、携帯端末機がページ編集画面への転換のための入力信号を受信する場合、携帯端末機はページ編集画面２２０のようなページ配列が出力される画面転換を遂行する。
【００２５】
上述のように、本発明の実施形態に従う携帯端末機は、、複雑なキー入力無しで簡便かつ高速にページ編集が可能なページ追加・削除、及びページ内のアイコン追加・削除を含むページ編集画面を提供する。そして、ページ編集画面は複数個のページを１つの画面に出力できるので、携帯端末機が含んでいる全体ページの個数を容易に確認し、これに基づいて全体ページ管理をより容易に、かつ統合的に遂行できる。
【００２６】
図３及び図４は、図２のページ追加又は削除のための入力信号発生の他の形態を説明するための図である。
【００２７】
図３を参照すると、携帯端末機ユーザは、ホームスクリーンに第２ページ（ＷＰ２）を全体画面として出力して検索している状態で、ページ編集画面を活性化できる。すると、携帯端末機は、ページ編集画面３１０のように、第２ページ（ＷＰ２）が画面の中央に配置され、左側に第１ページ（ＷＰ１）、右側に第３ページが各々配置された画面を出力する。この際、携帯端末機は図２とは異なり、ページ追加ボタンを別途に表示しない。
【００２８】
一方、携帯端末機ユーザが特定ページの追加を希望する場合、ユーザはページが互いに隣接した境界領域で特定タッチイベント、例えば境界領域を横切るスウィープイベントを生成する。この際、携帯端末機ユーザはページ生成を所望の位置でスウィープイベントを生成する。例えば、携帯端末機ユーザが第２ページ（ＷＰ２）と第３ページ（ＷＰ３）との間に新たなページ生成を要請する場合、ユーザは第２ページ（ＷＰ２）と第３ページ（ＷＰ３）とが互いに隣接した境界領域で表示部の下端から上端へ方向を有するスウィープイベントを生成する。すると、携帯端末機は、３２０画面のように、第２ページ（ＷＰ２）と第３ページ（ＷＰ３）との間に新たなニューページ（ＮＰ）を生成する。
ここで、表示部に３個のページのみ出力されるように設定されている場合、携帯端末機は第３ページ（ＷＰ３）を画面から除去し、第３ページ（ＷＰ３）が位置した領域にニューページ（ＮＰ）を出力するように制御する。ここで、第３ページ（ＷＰ３）が画面から消える場合を説明したが、第１ページ（ＷＰ１）が押し出され、第２ページ（ＷＰ２）が第１ページ（ＷＰ１）がある領域へ移動し、第２ページ（ＷＰ２）にニューページ（ＮＰ）を出力することもできる。
【００２９】
一方、ページ編集画面３１０及びページ編集画面３２０の中央上側に位置した位置バーを見ると、ページ編集画面３１０では全部で５個のページを表す５コマを含む位置バーが出力されている。そして、ニューページ（ＮＰ）追加によって、ページが増えるにつれてページ編集画面３２０では全部で６コマを有する位置バーが出力される。携帯端末機ユーザは、第２ページ（ＷＰ２）と第３ページ（ＷＰ３）の境界領域で、下端から上端へ方向を有するスウィープイベントだけでなく、上端から下端へ方向を有するスウィープイベントを生成でき、携帯端末機は設定によって、生成されたスウィープイベントをページ追加のためのタッチイベントとして認識する。
【００３０】
図４を参照すると、携帯端末機ユーザはホームスクリーンに第２ページ（ＷＰ２）を全体画面として出力して検索している状態で、ページ編集画面を活性化できる。すると、携帯端末機は、ページ編集画面３３０のように、第２ページ（ＷＰ２）が画面の中央に配置され、左側に第１ページ（ＷＰ１）、右側に第３ページが各々配置された画面を出力することができる。この際、携帯端末機は図２とは異なり、ページ削除追加ボタンを別途に表示しない。
【００３１】
一方、携帯端末機ユーザが特定ページの削除を希望する場合、希望するページに対して削除に該当する入力信号を生成する。例えば、ユーザは削除を希望する該当ページをタッチダウンした以後、一定方向にスウィープする。ここで、スウィープイベントの方向は他のページが配置されない方向、例えば携帯端末機の上側又は下側又は右側方向になることができる。
【００３２】
携帯端末機は、ユーザが特定ページを特定方向にスウィープする場合、該当ページを表示部及び位置バーから削除するように制御する。この過程で、携帯端末機は誤ったタッチイベント発生に従うページの削除を防止するために、削除確認のためのポップアップウィンドウを出力するように制御する。ページ編集画面３３０で、特定ページが特定方向にスウィープされて削除されれば、携帯端末機は、ページ編集画面３４０に示すように、第３ページ（ＷＰ３）に隣接して整列されている第４ページ（ＷＰ４）が第３ページ（ＷＰ３）があった領域に出力されるように制御する。
【００３３】
一方、携帯端末機は、ページ編集画面３３０の上端に出力されたページの個数と位置を表す位置バーを、ページ削除に対する命令遂行に従って更新する場合、ページ編集画面３４０の上端に示すように、コマ数が減った位置バーを出力する。例えば、ページ編集画面３３０では５コマの位置バーがページ編集画面３４０では１つのページ分が減った４コマの位置バーになる。
【００３４】
図５は、本発明の実施形態に従う携帯端末機の題目（Ｔｉｔｌｅ）編集を説明するための図である。
【００３５】
図５を参照すると、携帯端末機はユーザの画面活性化信号を受信すると、ページ編集画面４０１のように、複数個のページを１つの画面に出力する。この過程で、携帯端末機は各ページを１つの画面に出力するように設定された個数によってページのサイズを調節する。即ち、携帯端末機は１つの画面に例えば３個、４個又は５個のページを出力するように設定された場合、各々、ページサイズを異に設定して出力する。一方、携帯端末機は、ページ編集画面４０１に示すように、各ページの題目を各ページ領域の一側、例えば下端領域に出力する。このような状態で、携帯端末機ユーザが題目を変更しようとする場合、ユーザは変更しようとするページの題目領域を選択する入力信号、例えば該当題目領域をタッチするタッチイベントを生成する。
【００３６】
すると、携帯端末機は、ページ編集画面４０２に示すように、題目編集に使うテキスト編集機を活性化する。テキスト編集機は文字や数字の選択のためのキーマップ領域と選択された単語を出力する出力領域とを含む。携帯端末機ユーザがキーマップ領域で特定キーを選択すれば、携帯端末機は選択されたキーに対応する文字や数字を出力領域に出力するように制御する。題目編集が完了すれば、携帯端末機ユーザは編集完了を指示するための入力信号、例えばキーマップ領域で“確認”に対応するキーを活性化する。すると、携帯端末機はテキスト編集機で入力した題目である、例えば“Ｎｅｗｓ”を該当ページ題目領域に出力するように制御する。ページ編集画面４０３に示すように、ユーザが第１ページ（ＷＰ１）の題目編集を選択し、上記の文字編集を遂行すると、第１ページ（ＷＰ１）の下端に配置された題目領域が“Ｔｉｔｌｅ１”から“Ｎｅｗｓ”に変更される。
【００３７】
そして、携帯端末機はユーザページ編集画面からページ検索画面に転換する入力信号、例えば、タッチイベントや携帯端末機動作信号が受信されれば、ページ編集画面４０４に示すように、ページ編集画面４０３の中央に配置された第１ページ（ＷＰ１）を画面全体に出力するように制御する。この際、携帯端末機は第１ページ（ＷＰ１）に、第１ウィジェットアイコン（Ｗ１）、及び第２ウィジェットアイコン（Ｗ２）を出力するだけでなく、全体ページ個数と第１ページ（ＷＰ１）が全体ページで占める位置を表す位置バー２２１をページの一定領域、例えば下端に出力することができる。この際、携帯端末機は位置バー２２１に隣接した領域に第１ページ（ＷＰ１）の題目情報である“Ｎｅｗｓ”を出力するように制御できる。
【００３８】
一方、携帯端末機ユーザが他のページ検索のための入力信号、例えば方向キー信号又はそれに対応するタッチイベントを生成することによってページが転換されれば、位置バー２２１は該当ページが全体のコマで占める位置を表す。そして、位置バー２２１の下端領域には該当ページの題目情報が出力される。例えば、ユーザがタッチスクリーンで具現された表示部の上で左側にスウィープするタッチイベントを生成すれば、携帯端末機は第１ページ（ＷＰ１）を表示部から除去し、代わりに第２ページ（ＷＰ２）を表示部に出力するように制御する。この際、携帯端末機は第２ページ（ＷＰ２）が全体ページ整列で占める位置を位置バー２２１上に表すように制御し、第２ページ（ＷＰ２）の題目情報である“Ｔｉｔｌｅ２”を位置バー２２１の下端に隣接した領域に出力する。
【００３９】
図６は、本発明の実施形態に従うページ編集過程のうち、ウィジェットアイコン編集機能を説明するための画面例示図である。
【００４０】
図６を参照すると、上記図１に示したページ編集画面２００と同一であって、図１に係る実施形態において説明したように、携帯端末機は３個のページを横モードで置かれた表示部に整列して出力できる。この際、例えば第１ページ（ＷＰ１）は、第１ウィジェットアイコン（Ｗ１）及び第２ウィジェットアイコン（Ｗ２）を含み、第２ページ（ＷＰ２）は、第３ウィジェットアイコン（Ｗ３）、第４ウィジェットアイコン（Ｗ４）、及び第５ウィジェットアイコン（Ｗ５）を含み、第３ページ（ＷＰ３）は、第６ウィジェットアイコン（Ｗ６）、第７ウィジェットアイコン（Ｗ７）、及び第８ウィジェットアイコンを含む。
【００４１】
ここで、携帯端末機ユーザは、各ページに出力されているウィジェットアイコンの位置変更を遂行できる。例えば、ユーザは、第７ウィジェットアイコン（Ｗ７）を第３ページ（ＷＰ３）から第１ページ（ＷＰ１）への移動を希望する。すると、ユーザは第３ページ（ＷＰ３）で第７ウィジェットアイコン（Ｗ７）をタッチし、タッチダウン状態でタッチドラッグ又はタッチムーブして第１ページ（ＷＰ１）の一定領域に移動できる。すると、携帯端末機はウィジェットアイコン移動に従う画面イメージ変化を制御すると共に、第３ページ（ＷＰ３）に属していた第７ウィジェットアイコン（Ｗ７）を第１ページ（ＷＰ１）所属に変更するように制御することができる。これによって、第１ページ（ＷＰ１）は、第１ウィジェットアイコン（Ｗ１）、第２ウィジェットアイコン（Ｗ２）、及び第７ウィジェットアイコン（Ｗ７）を含むようになる。
【００４２】
ここで、携帯端末機ユーザは、特定ウィジェットアイコンを他のページに移さず削除を希望できる。そのような場合、携帯端末機ユーザは削除しようとする特定ウィジェットアイコンをタッチダウンした後、他のページが配置されない方向、例えば第１ページ（ＷＰ１）を基準に上側又は下側の一定境界を越えるように該当ウィジェットアイコンをタッチドラッグするか又は上側又は下側境界方向にウィジェットアイコンをフリック（ｆｌｉｃｋ）する。すると、携帯端末機は選択されたウィジェットアイコンを該当ページから削除するように制御する。この過程で、誤ったタッチイベントに従うアイコンの削除を防止するために、アイコン削除時、これを確認するためのポップアップウィンドウを出力するように制御できる。
【００４３】
図７は、本発明の実施形態に従うページの背景画面設定又は変換を説明するための画面例示図である。
【００４４】
図７を参照すると、上記図６と同様に、本発明の携帯端末機は３個のページを横モードで置かれた表示部に整列して出力する。この際、例えば、第１ページ（ＷＰ１）は、第１ウィジェットアイコン（Ｗ１）及び第２ウィジェットアイコン（Ｗ２）を含み、第２ページ（ＷＰ２）は、第３ウィジェットアイコン（Ｗ３）、第４ウィジェットアイコン（Ｗ４）、及び第５ウィジェットアイコン（Ｗ５）を含み、第３ページ（ＷＰ３）は、第６ウィジェットアイコン（Ｗ６）、第７ウィジェットアイコン（Ｗ７）、及び第８ウィジェットアイコンを含む。
【００４５】
ここで、携帯端末機ユーザは、各ページの背景画面を変更できる。このために、携帯端末機ユーザは既設定された入力信号、例えば背景画面を変更しようとするページに設定されたタッチイベントを発生させる。携帯端末機は、特定ページが配置された領域で背景画面設定のための入力信号、例えば、“Ｌｏｎｇ  Ｐｒｅｓｓ”又は“Ｔｏｗ  Ｔａｐ”などに対応するタッチイベントが発生すれば、背景画面設定のためのウィンドウ、例えば設定ウィンドウ６０１をポップアップする。設定ウィンドウ６０１は背景画面設定のためのウィンドウであって、少なくとも１つの背景画面を指示するリストを出力する。図示した図面では、３個の背景画面、即ち、“１．ｊｐｇ”、“２．ｊｐｇ”、“３．ｊｐｇ”項目を含んでいる。携帯端末機ユーザは、３個の項目のうち、所望の項目を選択するための入力信号を生成する。携帯端末機は、特定項目選択のための入力信号が発生すれば、該当項目に該当する背景画面を該当ページの背景画面に適用するように制御する。一方、設定ウィンドウ６０１は背景画面リストを出力せず、背景画面のイメージを直接検索できるようにしてもよい。これによって、携帯端末機ユーザは設定ウィンドウ６０１を通してページに適用される背景画面に対するイメージを確認した後、背景画面選択を遂行できる。
【００４６】
一方、携帯端末機は特定入力信号によって全体ページの背景画面を変更するようにしてもよい。例えば、携帯端末機ユーザが既設定された入力信号、例えば２つのページが隣接した境界領域に設定されたタッチイベントを生成すれば、携帯端末機は該当タッチイベントを全体ページ背景画面設定又は変更信号と判断し、背景画面設定のための設定ウィンドウ６０１を出力する。
【００４７】
図８は、本発明の実施形態に従うページ順序変更を説明するための図である。
【００４８】
図８を参照すると、ページ編集画面７０１に示すように、携帯端末機ユーザはページ順序変更を希望するページを選択する。例えば、携帯端末機ユーザが第３ページ（ＷＰ３）を第１ページ（ＷＰ１）と第２ページ（ＷＰ２）との間に配置しようとする場合、まず第３ページ（ＷＰ３）の順序変更のための既設定された入力信号、例えば第３ページ（ＷＰ３）が出力されている表示部領域の一定部分に対して“Ｌｏｎｇ  ｐｒｅｓｓ”に該当するタッチイベントを生成する。すると携帯端末機は、これを第３ページ（ＷＰ３）のページ順序変更のための入力信号と判断して、第３ページ（ＷＰ３）が出力された表示部領域のうちの、例えばウィジェットアイコンが配置されない領域に既設定されたタッチイベントである“Ｌｏｎｇ  Ｐｒｅｓｓ”を発生する。そして携帯端末機は、ページ編集画面７０２に示すように、第３ページ（ＷＰ３）が移動可能な形態であることを表す効果を提供する。即ち、携帯端末機は、第３ページ（ＷＰ３）がユーザのタッチイベントに従って移動するようなイメージ変化を提供する。この際、携帯端末機はユーザのタッチイベントが発生した地点を基準にイメージ変化を提供する。
【００４９】
以後、携帯端末機ユーザが第３ページ（ＷＰ３）をタッチした状態で、例えば第１ページ（ＷＰ１）と第２ページ（ＷＰ２）との間に移動するタッチアンドドラッグイベントを生成すれば、携帯端末機は、ページ編集画面７０３に示すように、タッチドラッグイベントの移動距離及び速度と方向に従って、第３ページ（ＷＰ３）を第１ページ（ＷＰ１）と第２ページ（ＷＰ２）との間に移動させ、第３ページ（ＷＰ３）を第１ページ（ＷＰ１）及び第２ページ（ＷＰ２）の上にオーバーラップさせて出力するように制御する。ここでページ編集画面７０２及び７０３の各々において、第３ページ（ＷＰ３）がユーザのタッチアンドドラッグイベントに従って移動するにつれて、第３ページ（ＷＰ３）が配置されていた領域が露出されるが、携帯端末機はこの露出領域（図８では黒色領域）に既設定された色を表示するか、又は既設定されたイメージを出力する。
携帯端末機ユーザが第１ページ（ＷＰ１）と第２ページ（ＷＰ２）との境界領域に第３ページ（ＷＰ３）を移動させた後、既設定されたタッチイベント、例えば“Ｔｏｕｃｈ  Ｒｅｌｅａｓｅ”に対応するタッチイベントを生成すれば、携帯端末機はこのタッチイベントを、第３ページ（ＷＰ３）を第１ページ（ＷＰ１）と第２ページ（ＷＰ２）との間に配置するためのタッチイベントとして認識する。すると、携帯端末機は、ページ編集画面７０４に示すように、第１ページ（ＷＰ１）を第３ページ（ＷＰ３）の移動によって生成された露出領域へ移動させる一方、第１ページ（ＷＰ１）が移動するにつれて発生する領域に第３ページ（ＷＰ３）を配置させる。
【００５０】
以上、説明したように、本発明の実施形態に従う携帯端末機のページ順序変換は、最初の特定ページが画面全体に出力された状態でページ編集画面に転換するための既設定された入力信号発生時、少なくとも１つのページを編集できるページ編集画面を出力し、出力された画面で、特定ページを選択及びドラッグして所望の位置にページを配置して遂行できる。
【００５１】
上述の説明ではウィジェットアイコンを含むウィジェットページのページ編集について説明したが、本発明はこれに限定されるものではない。即ち、本発明の実施形態に従うホームスクリーンは、実質的にウィジェットアイコンが配列されるページだけでなく、メニューアイコンが配列されるページでも構成できる。これによって、ページはメニューページになり、メニューページに含まれるアイコンもメニューアイコンになる。ページがメニューページである場合、上述の編集機能を通じて携帯端末機ユーザは新たなメニューページを追加又は削除し、メニューページに含まれたメニューアイコンを移動させ、メニュー題目を変更し、ページ背景画面を変換し、ページ順序を変更する、等の作業を容易に遂行できる。
【００５２】
図９は、本発明の実施形態に従う携帯端末機の構成を概略的に示す図である。
【００５３】
図９を参照すると、本発明の実施形態に従う携帯端末機１００は、無線周波数部１１０、入力部１２０、オーディオ処理部１３０、タッチスクリーン１４０、格納部１５０、センサ部１７０、及び制御部１６０を構成要素として含む。ここで、入力部１２０、タッチスクリーン１４０、及びセンサ部１７０は、入力信号生成モジュールに該当し、このような入力信号生成モジュールはページ編集画面出力のための入力信号と、ページ編集画面での編集のための入力信号をユーザからの要請によって生成する。
【００５４】
このような構成を有する本発明の携帯端末機は、入力部１２０、タッチスクリーン１４０、及びセンサ部１７０で生成される既設定された入力信号によってホームスクリーンに出力されるページを編集するページ編集画面を提供し、ページ編集画面を通じて、ページの追加と削除、ページの題目変更、各ページに所属するアイコンの変更、ページの背景画面変更、ページの順序変更などの機能を提供する。ここで、既設定された入力信号は、入力部１２０の特定キー入力信号、タッチスクリーン１４０の特定タッチイベント、センサ部１７０の特定動作信号を含む。以下、本発明の携帯端末機の各構成要素についてより詳細に説明する。
【００５５】
無線周波数部１１０は、必要な各種通信チャンネルを制御部１６０の制御下に形成する。即ち、無線周波数部１１０は、音声通話チャンネル、映像通話チャンネル、ショートメッセージサービス（ＳＭＳ）チャンネル、マルチメディアメッセージサービス（ＭＭＳ）チャンネル、データ通信チャンネル、等のうちの一又は複数個のチャンネルを移動通信システム内に形成する。このために、無線周波数部１１０は、送信される信号の周波数を上昇変換及び増幅する無線周波数送信部と、受信される信号を低雑音増幅し、周波数を下降変換する無線周波数受信部などを含む。このような無線周波数部１１０は、タッチパネル１４３が生成するタッチイベントによって制御部１６０の制御下に選択的に動作する。特に、本発明の無線周波数部１１０は、ホームスクリーンを構成する少なくとも１つのページに含まれるメニューアイコン、又はウィジェットアイコンなどの活性化要請によって活性化される。
【００５６】
入力部１２０は、数字又は文字情報の入力を受けて、各種の機能を設定するための複数の入力キー及びファンクションキーを含む。ファンクションキーは、特定機能を遂行するように設定された方向キー、サイドキー、及びショートカットキーなどを含む。また、入力部１２０は、ユーザ設定及び携帯端末機の機能制御と関連したキー信号を生成し、制御部１６０に伝達する。このような入力部１２０は、複数個のキーを含むクォティ（ＱＷＥＲＴＹ）キーパッド、３＊４キーパッド、４＊３キーパッドなどで具現される。入力部１２０は、携帯端末機のタッチスクリーン１４０がフルタッチスクリーン形態の場合には省略され、タッチスクリーン１４０で代替される。特に、本発明の入力部１２０は、ホームスクリーンの少なくとも１つのページを編集する特定入力信号を生成でき、ページ編集画面専用のホットキーを備えることもできる。
【００５７】
オーディオ処理部１３０は、通話時、送受信されるオーディオデータを再生するためのスピーカー（ＳＰＫ）と、通話時、ユーザの音声又はその他のオーディオ信号を収集するためのマイク（ＭＩＣ）を含む。このようなオーディオ処理部１３０は、ページ検索画面からページ編集画面に変換するための入力信号発生時、画面転換に伴うアラーム情報を、スピーカー（ＳＰＫ）を通じて出力する。これに追加して、又はこれに代わって、携帯端末機１００はページ編集画面の変換時に、変換をアラームする一定形態の振動パターンを発生できる。
【００５８】
タッチスクリーン１４０は、表示部１４１及びタッチパネル１４３を含む。このようなタッチスクリーン１４０は、表示部１４１の前面にタッチパネル１４３が配置される構造を有する。タッチスクリーン１４０のサイズは、タッチパネル１４３のサイズにより決定される。
【００５９】
表示部１４１は、携帯端末機の各種メニューを始めとしてユーザが入力した情報又はユーザに提供する情報を表示する。即ち、表示部１４１は携帯端末機の利用に従う多様な画面、例えば、待機画面、メニュー画面、メッセージ作成画面、通話画面などを提供する。特に、本発明の表示部１４１はホームスクリーンに少なくとも１つのページを出力する。このページは、ユーザが設定した少なくとも１つのウィジェットアイコンが各々所属するウィジェットページ、ユーザが設定した少なくとも１つのメニューアイコンが各々所属するメニューページなどを含む。このような表示部１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）などで形成される。
【００６０】
タッチパネル１４３は表示部１４１を覆うように配置され、物体の接触又は物体の接近距離によってタッチイベントを生成し、生成されたタッチイベントを制御部１６０に伝達する。この際、タッチパネル１４３はタッチセンサをマトリックス形態に配列してなり、タッチパネル１４３の上で発生するタッチイベントに対して該当位置情報とタッチイベントの種類に関する情報を制御部１６０に伝達する。このようなタッチイベントの種類は、タッチパネルに物体の接触によって発生するタッチダウンイベント、物体の接触の解除によって発生するタッチアップイベント、タッチダウン状態で一定方向への接触の移動によって発生するタッチムーブ、又はタッチドラッグイベント、一定方向に加速度を有した接触の移動によって発生するフリックイベント、一定時間以上の間のタッチダウン状態の維持による“Ｌｏｎｇ  Ｐｒｅｓｓ”イベントなどを含む。制御部１６０は、タッチパネル１４３から伝えられるタッチイベントから位置情報とタッチイベントの種類を確認し、該当位置にマッピングされた表示部の特定イメージを確認した後、イメージにリンクされているユーザ機能を活性化するように制御する。特に、本発明のタッチパネル１４３はページ編集画面の転換のためのタッチイベントを生成できる。このために、携帯端末機１００は、ページ編集画面の転換のためのキーマップを出力する。
【００６１】
格納部１５０は、本発明の実施形態に従う機能動作に必要な応用プログラムを始めとして、携帯端末機がタッチスクリーンで形成される場合、タッチスクリーンの運用のためのキーマップやメニューマップなどを格納する。ここで、キーマップ及びメニューマップは、各々多様な形態をとりうる。即ち、キーマップはキーボードマップや３＊４キーマップ、クォティキーマップ、などであり、現在、活性化されている応用プログラムの運用制御のための制御キーマップになりうる。また、メニューマップは、現在活性化されている応用プログラム運用制御のためのメニューマップ又は、携帯端末機が提供する多様なメニューを項目に有するメニューマップにのいずれかでありうる。このような格納部１５０は、大別してプログラム領域とデータ領域を含みうる。
【００６２】
プログラム領域は、携帯端末機のブーティング及び上述の各構成の運用のためのＯＳ（Ｏｐｅｒａｔｉｎｇ  Ｓｙｓｔｅｍ）、多様なファイルを再生するための応用プログラム、例えば携帯端末機の機能支援の可否に従う通話機能支援のための応用プログラム、インターネットサーバーに接続するためのウェブブラウザー、その他の音源を再生するためのＭＰ３応用プログラム、写真などを再生するためのイメージ出力応用プログラム、動画像再生応用プログラムなどを格納する。特に、本発明のプログラム領域は、ホームスクリーンに特定ページを出力するように制御するルーチン、特定入力信号発生によって少なくとも１つのページを編集するページ編集画面を出力するように制御するルーチン、ページの題目変更支援ルーチン、ページに所属されたアイコンの移動を支援するルーチン、ページの順序取替えを支援するルーチン、ページの追加と削除を支援するルーチン、少なくとも１つのページ背景画面変更を支援するルーチンなどを含む。各ルーチンは、該当入力信号発生によって活性化される。
【００６３】
データ領域は携帯端末機使用によって発生するデータが格納される領域であって、フォンブック情報、ウィジェット機能に従う少なくとも１つのアイコン及び多様なコンテンツを格納する。また、データ領域は、表示部１４０がタッチスクリーンで具現される場合、タッチスクリーンを通じて入力されるユーザ入力を格納する。特に、本発明のデータ領域は、ウィジェットページＤＢ（Ｄａｔａ  Ｂａｓｅ）とメニューページＤＢ、及び背景画面などを格納する。ウィジェットページＤＢ及びメニューページＤＢは、ユーザ設定によってページの追加と削除によって情報が変更され、ページの間のアイコン変更によっても情報が変更されうる。
【００６４】
センサ部１７０は多様なセンサを含む。ここで、多様なセンサは、加速度センサ、ジャイロセンサ、圧力センサ、振動センサなどを含む。このような多様なセンサは、制御部１６０の制御によって供給される電源に基づいて動作し、携帯端末機１００の動き又は携帯端末機１００に伝えられる圧力などによって特定信号を生成する。センサ部は、多様なセンサが生成した特定信号をセンサ検出部１４０に伝達する。その他、本発明のセンサ部１７０は追加的なセンサ、例えば地磁気センサ、光センサ、フォトセンサなどを含む。例えば、センサ部１７０が加速度センサで構成される場合、センサ部１７０は携帯端末機の縦モードと横モードに対する加速度変化を感知し、それに従う動作信号を制御部１６０に伝達する。
【００６５】
制御部１６０は携帯端末機の各構成に電源供給を制御して初期化過程を遂行するように支援し、初期化過程が完了すれば、各構成に対して本発明の速いユーザ機能の提供のための信号の流れなどを制御する。このような制御部１６０は、入力部１２０、タッチスクリーン１４０、及びセンサ部１７０からの信号伝達によってページ編集画面を支援する。即ち、制御部１６０は入力信号生成モジュールから伝えられる入力信号によって、少なくとも１つのページを編集することができるページ編集画面を出力するようにし、ページ編集画面で、追加で入力された入力信号によってプログラム領域に格納されたルーチンに基づいて多様な機能、例えばページ追加と削除、題目変更、ページの間の順序変更、背景画面変更などの機能を支援する。
【００６６】
一方、制御部１６０は、センサ部１７０から伝えられるセンサ信号を確認し、該当センサ信号によって本発明の実施形態に従うページ編集機能の支援を制御する。例えば、制御部１６０は、携帯端末機１００のケースの内側に加速度センサが配置される場合、携帯端末機１００の揺れやスナップなどによって発生する信号を検出する。ここで、制御部１６０は、揺れとスナップを携帯端末機の動きによって発生する周波数の変化を通じて区分する。即ち、制御部１６０は、携帯端末機１００の動きによって発生する周波数の振幅変化曲線が緩やかで、多数が発生する場合、揺れに区分し、周波数の振幅変化曲線が尖鋭で、一回性に発生する場合、スナップに区分する。そして、制御部１６０は、ジャイロセンサを用いて携帯端末機１００の傾け等、方向の変化に該当する信号を検出するる。また、制御部１６０は振動センサを用いて携帯端末機１００の揺れや、外部衝撃によってケースで発生する振動などに該当する信号を検出する。制御部１６０は、センサ部１７０で検出される信号に基づいて携帯端末機１００の多様な動作、特に、ページ編集画面転換を制御する。
【００６７】
上述のように、本発明の実施形態に従う携帯端末機のページ編集機能は、ホームスクリーンに出力される少なくとも１つのページ追加と削除、ページに所属されたアイコンの変更、ページの順序変更、ページの題目変更、ページの背景画面変更機能などが可能なページ編集画面を出力するように支援する。
【００６８】
以上、本発明を幾つかの好ましい実施形態を使用して説明したが、これら実施形態は例示的なものであり、本発明をこれらに限定的するものではない。このように、本発明が属する技術分野で通常の知識を有する者であれば、本発明の事象と添付した特許請求範囲に提示された権利範囲から逸脱することなく、均等論によって多様な変化と修正を加えうることを理解すべきである。
【符号の説明】
【００６９】
１００    携帯端末機
１１０    無線周波数部
１２０    入力部
１３０    オーディオ処理部
１４０    タッチスクリーン
１４１    表示部
１４３    タッチパネル
１５０    格納部
１６０    制御部
１７０    センサ部
２００、２１０、２３０    ページ編集画面
２１１    ページ削除ボタン
２１３    ページ追加ボタン
２２１    位置バー
２４１    アイコンツリー領域
３１０、３２０、３３０、３４０    ページ編集画面
４０１、４０２，４０３、４０４    ページ編集画面
６０１    設定ウィンドウ
７０１、７０２、７０３、７０４    ページ編集画面
【図１】
0005614784.tif 000002
【図２】
0005614784.tif 000003
【図３】
0005614784.tif 000004
【図４】
0005614784.tif 000005
【図５】
0005614784.tif 000006
【図６】
0005614784.tif 000007
【図７】
0005614784.tif 000008
【図８】
0005614784.tif 000009
【図９】
0005614784.tif 000010